(57)【要約】【課題】本発明は、足や足指にフィットすることが可能な指サンダルに関するものである。【解決手段】本発明の指サンダルは、下部ソール、上部ソール、親指鼻緒、横鼻緒、および４組の指鼻緒から少なくとも構成されている。前記親指鼻緒は、その一端および他端が前記下部ソールおよび上部ソールの間に固定されている。前記横鼻緒は、２個を１組にした４組の開口部を備えており、一端を親指鼻緒の他端とともに、また、他端を前記下部ソールと上部ソールとの間に接着剤等で取り付けられている。前記指鼻緒は、２本を１組として一端を前記下部ソールと上部ソールとの間に取り付け、他端を前記開口部から通過させた後、互いに結び目を作ることにより、適した長さに調整することができる。【選択図】図１
2008167988.tif 000002
【特許請求の範囲】
【請求項１】
下部ソールと、
前記下部ソール上に取り付けられている上部ソールと、
前記上部ソールに取り付けられている親指にかかる親指鼻緒と、
前記上部ソールに取り付けられている２個を１組にした４組の開口部を備えている横鼻緒と、
前記横鼻緒の下部で、上部ソールと下部ソールの間に一端がそれぞれ取り付けられている２本を１組にした４組がそれぞれ前記横鼻緒の開口部を通過した後に長さを調整して結ぶことにより結び目が形成できる指鼻緒と、
から少なくとも構成されている指サンダル。
【請求項２】
２個を１組にした４組の開口部からなる長ボタンが前記横鼻緒に沿って設けられ、前記２本を１組にした４組の指鼻緒は、前記横鼻緒の開口部および前記長ボタンの開口部を通過した後に長さを調整して結ぶことにより結び目が形成できることを特徴とする請求項１に記載された指サンダル。
【請求項３】
前記横鼻緒に設けられた４組の開口部に２個の開口部を１組にしたボタンが前記横鼻緒に沿って設けられ、前記２本を１組にした４組の指鼻緒は、前記横鼻緒の開口部および前記ボタンの開口部を通過した後に長さを調整して結ぶことにより結び目が形成できることを特徴とする請求項１に記載された指サンダル。
【請求項４】
前記横鼻緒に沿って４個の開口部が設けられ、前記指鼻緒の一方が前記それぞれの開口部を通過し、他方の指鼻緒と長さを調整して結ぶことにより結び目が形成できることを特徴とする請求項１に記載された指サンダル。
【請求項５】
前記指鼻緒に設けられた２個を１組にした４組の開口部を通過した２本の指鼻緒は、コードロックを通過することにより長さを調整して固定されていることを特徴とする請求項１に記載された指サンダル。
【請求項６】
前記横鼻緒、あるいは親指鼻緒および横鼻緒には、甲被部、あるいは、甲被部および踵紐が一体に取り付けられていることを特徴とする請求項１から請求項５のいずれか１項に記載された指サンダル。
【請求項７】
前記指鼻緒は、少なくとも複数の異なる色からなっていることを特徴とする請求項１から請求項６のいずれか１項に記載された指サンダル。
【請求項８】
前記親指鼻緒、横鼻緒、指鼻緒、および甲被部は、少なくとも複数の異なる色からなることを特徴とする請求項１から請求項７のいずれか１項に記載された指サンダル。
【請求項９】
前記親指鼻緒、横鼻緒、指鼻緒、および甲被部は、７色の虹色からなることを特徴とする請求項１から請求項８のいずれか１項に記載された指サンダル。
【請求項１０】
前記指鼻緒は、それぞれが１本からなり、二つ折りにした部分を横鼻緒に設けられた１個ずつの開口部に挿入してできた輪に、対になっている部分に一端を挿入し、所定の長さで前記一端部を下部ソールと上部ソールの間に取り付けられていることを特徴とする請求項１から請求項９のいずれか１項に記載された指サンダル。
【請求項１１】
前記対となっている指鼻緒で、上部ソールと横鼻緒の間に、筒状カバーが嵌められていることを特徴とする請求項１から請求項１０のいずれか１項に記載された指サンダル。
【請求項１２】
前記親指鼻緒、横鼻緒、指鼻緒を含み、指サンダルの先端部から足の甲の部分の一部に至る領域を覆う透明、半透明、非透明なカバーを着脱自在に取り付けられていることを特徴とする請求項１から請求項１１のいずれか１項に記載された指サンダル。
【発明の詳細な説明】
【技術分野】
【０００１】
本発明は、足や足指にフィットすることが可能な指サンダルに関するものである。また、本発明は、指サンダルを履いた状態で、歩行、早歩き、走行、力仕事等に都合がよく、見た目が綺麗な指サンダルに関するものである。本明細書における「指サンダル」は、指鼻緒を３本または４本、全体で５本の鼻緒を備えた新しいタイプの履物で、室内履き、あるいは戸外履きを含むだけでなく、スリッパ、下駄、草履、インナーソール等も含む。
【背景技術】
【０００２】
従来のサンダルは、足底に当たる面に凹凸を形成し、足の疲労感を軽減するものや、健康増進につながるものがある。たとえば、特開２００２−２２３８０１号公報に記載されているサンダルは、２本の横鼻緒に対して、親指鼻緒と３本の指鼻緒が設けられ、足指の皮膚を丈夫にするとともに、血液の循環を良くし、足指の動きを活発にする健康サンダルである。
【特許文献１】特開２００２−２２３８０１号公報
【発明の開示】
【発明が解決しようとする課題】
【０００３】
従来のサンダルは、前記指鼻緒の長さが同じであり、甲の高い人に対して窮屈であり、甲の低い人に対してぶかぶかであるという欠点があった。また、従来のサンダルは、ソールまたは鼻緒に模様を付ける等のみで、変わり映えのするものがなかった。さらに、従来のサンダルは、突っかけて近所を歩くという印象が強く、履物として機能性に乏しく、風格、品格、美観といったものがなかった。特許文献１に記載されているサンダルは、指鼻緒の長さを調整できないという欠点を有するだけでなく、安価な履物であるという印象しかなかった。
【０００４】
以上のような課題を解決するために、本発明は、老若男女、誰の足指であっても、長さを調整することにより、フィットすることができ、デザインとしても優れた指サンダルを提供することを目的とする。本発明は、足の全ての指にフィットさせることにより、運動あるいは力仕事等にも適した指サンダルを提供することを目的とする。本発明は、安易な履物、あるいは安価な履物であるという考えを一掃するものであり、安価で、デザインおよび美観が優れ、高級感を有する指サンダルを提供することを目的とする。
【課題を解決するための手段】
【０００５】
（第１発明）
第１発明の指サンダルは、下部ソールと、前記下部ソール上に取り付けられている上部ソールと、前記上部ソールに取り付けられている親指にかかる親指鼻緒と、前記上部ソールに取り付けられている２個を１組にした４組の開口部を備えている横鼻緒と、前記横鼻緒の下部で、上部ソールと下部ソールの間に一端がそれぞれ取り付けられている２本を１組にした４組がそれぞれ前記横鼻緒の開口部を通過した後に長さを調整して結ぶことにより結び目が形成できる指鼻緒とから少なくとも構成されていることを特徴とする。
【０００６】
（第２発明）
第２発明の指サンダルは、第１発明において、２個を１組にした４組の開口部からなる長ボタンが前記横鼻緒に沿って設けられ、前記２本を１組にした４組の指鼻緒は、前記横鼻緒の開口部および前記長ボタンの開口部を通過した後に長さを調整して結ぶことにより結び目が形成できることを特徴とする。
【０００７】
（第３発明）
第３発明の指サンダルは、第１発明において、横鼻緒に設けられた４組の開口部に２個の開口部を１組にしたボタンが前記横鼻緒に沿って設けられ、前記２本を１組にした４組の指鼻緒は、前記横鼻緒の開口部および前記ボタンの開口部を通過した後に長さを調整して結ぶことにより結び目が形成できることを特徴とする。
【０００８】
（第４発明）
第４発明の指サンダルは、第１発明において、横鼻緒に沿って４個の開口部が設けられ、指鼻緒の一方が前記それぞれの開口部を通過し、他方の指鼻緒と長さを調整して結ぶことにより結び目が形成できることを特徴とする請求項１に記載された指サンダル。
【０００９】
（第５発明）
第５発明の指サンダルは、第１発明において、指鼻緒に設けられた２個を１組にした４組の開口部を通過した２本の指鼻緒は、コードロックを通過することにより長さを調整して固定されていることを特徴とする。
【００１０】
（第６発明）
第６発明の指サンダルは、第１発明において、横鼻緒、あるいは親指鼻緒および横鼻緒に、甲被部、あるいは、甲被部および踵紐が一体に取り付けられていることを特徴とする。
【００１１】
（第７発明）
第７発明の指サンダルは、第１発明から第６発明の指鼻緒が少なくとも複数の異なる色からなっていることを特徴とする。
【００１２】
（第８発明）
第８の指サンダルは、第１発明から第７発明の親指鼻緒、横鼻緒、指鼻緒、および甲被部が少なくとも複数の異なる色からなることを特徴とする。
【００１３】
（第９発明）
第９発明の指サンダルは、第１発明から第８発明の親指鼻緒、横鼻緒、指鼻緒、および甲被部が７色の虹色からなることを特徴とする。
【００１４】
（第１０発明）
第１０発明の指サンダルは、第１発明から第９発明の指鼻緒がそれぞれ１本からなり、二つ折りにした部分を横鼻緒に設けられた１個ずつの開口部に挿入してできた輪に、対になっている部分に一端を挿入し、所定の長さで前記一端部を下部ソールと上部ソールの間に取り付けられていることを特徴とする。
【００１５】
（第１１発明）
第１１発明の指サンダルは、第１発明から第１０発明の対となっている指鼻緒で、上部ソールと横鼻緒の間に、筒状カバーが嵌められていることを特徴とする。
【００１６】
（第１２発明）
第１２発明の指サンダルは、第１発明から第１１発明の親指鼻緒、横鼻緒、指鼻緒を含み、指サンダルの先端部から足の甲の部分の一部に至る領域を覆う透明、半透明、非透明なカバーを着脱自在に取り付けられていることを特徴とする。
【発明の効果】
【００１７】
本発明によれば、全ての指に対して長さを調整できるように指鼻緒を横鼻緒の開口部で結ぶことにより、指サンダルを自分の足に合わせることができるため、長時間の歩行、運動、力仕事等に対しても履き易く、疲労がない。
【００１８】
本発明によれば、指鼻緒あるいはボタン等の色を変えることにより、カラフルな指サンダルとすることができる。また、前記指鼻緒の結び目は、蝶結びとすることで、足の指もとが明るく綺麗に見える。
【００１９】
本発明によれば、指鼻緒を五本にして、それぞれの指を別々に入れることができるため、前記指が上部ソールおよび鼻緒にフィットするだけでなく、特に、小指がソールの外部に出ることなく、安全性の高い指サンダルとなる。
【００２０】
本発明によれば、指サンダルの先端部のカバー、あるいは指鼻緒を包む筒状カバー等により、長時間であっても履き易く、履物として優れた機能を有する。
【発明を実施するための最良の形態】
【００２１】
（第１発明）
第１発明の指サンダルは、下部ソール、上部ソール、親指鼻緒、横鼻緒、および４組の指鼻緒から少なくとも構成されている。前記親指鼻緒は、その一端および他端が前記下部ソールおよび上部ソールの間に固定されており、親指がかかる鼻緒で長さが長いもの、あるいは短いものを含む。前記横鼻緒は、２個を１組にした４組の開口部を備えており、一端を親指鼻緒の他端とともに、また、他端を前記下部ソールと上部ソールとの間に接着剤等で取り付けられている。前記指鼻緒は、２本を１組として一端を前記下部ソールと上部ソールとの間に取り付け、他端を前記開口部から通過させる。
【００２２】
前記開口部を通過した４組の指鼻緒は、履き易い長さに調整された後、互いに結ぶことにより結び目が形成される。足の各指は、前記指サンダルの上部ソール上で動かないように、前記親指鼻緒、横鼻緒、および４組の指鼻緒で固定されるため、上部ソールにフィットする。特に、小指は、一番端にある指鼻緒より外部に突出しないため、歩いている際に、小指が何かにぶつかり、怪我をする恐れがない。
【００２３】
（第２発明）
第２発明の指サンダルは、横鼻緒に沿って２個を１組にした４組の開口部からなる長ボタンが設けられている点で第１発明と異なっている。前記２本を１組にした４組の指鼻緒は、長さを調整してから結ばれる。第２発明の指サンダルは、前記結び目を作製する際に、横鼻緒に沿って長ボタンを設けるたため、結び易く、かつ、横鼻緒の強度を向上させる。
【００２４】
（第３発明）
第３発明の指サンダルは、ボタンが前記横鼻緒に設けられた４組の開口部と別々に設けられている点で第２発明と異なっている。４個のボタンは、色をそれぞれ変えることにより、美しい指サンダルとなる。
【００２５】
（第４発明）
第４発明の指サンダルは、前記横鼻緒に設けられた開口部が対ではなく一つずつ４個設けられている点で、第１発明から第３発明と異なっている。前記対になる２本の指鼻緒の内の１本は、前記横鼻緒に沿って設けられた前記４個の開口部にそれぞれ挿入され、他の残された１本の指鼻緒とそれぞれ結ぶことにより、長さを調整して結ぶことができる。
【００２６】
（第５発明）
第５発明の指サンダルは、２本の指鼻緒を結ぶのではなく、コードロックによって長さを調整している点で、第１発明から第４発明と異なっている。前記指鼻緒の長さは、前記コードロックのロックをＯＮ−ＯＦＦするだけで、簡単に長さを調整することができるだけでなく、前記コードロックの形あるいは色によって前記指サンダルの飾りとなる。
【００２７】
（第６発明）
第６発明の指サンダルは、第１発明から第５発明の横鼻緒、あるいは横鼻緒および親指鼻緒に対して一体に甲被部、あるいは甲被部および踵紐が取り付けられており、鼻緒だけではなく、足の甲の部分で持ち上げられたり、脱げ難くなるようにしている。前記踵紐は、固定具あるいは長さ調整具が備えられている。
【００２８】
（第７発明）
第７発明の指サンダルは、第１発明から第６発明における４本の指鼻緒が、少なくとも複数の異なる色をしている。４本の指鼻緒は、たとえば、全部異なる色にすることにより、カラフルな指サンダルとなる。また、第７発明は、前記対になっている指鼻緒の１本１本の色を変えたり、あるいは１本、２本、３本といった組み合わせを任意にすることができる。
【００２９】
（第８発明）
第８発明の指サンダルは、第１発明から第７発明におけるサンダルとしての各部品が異なる色をしている。たとえば、親指鼻緒、横鼻緒、および４本の指鼻緒は、数種類の色により、足の指元を彩ることができる。
【００３０】
（第９発明）
第９発明の指サンダルは、第１発明から第８発明における親指鼻緒、横鼻緒、４本の指鼻緒、甲被部を７色とする。前記７色は、虹色であるため、前記指サンダルを見る者、および使用者にとって美観を与える。
【００３１】
（第１０発明）
第１０発明の指鼻緒は、それぞれが１本を二つ折りにして使われる。前記指鼻緒は、二つ折りにした頂部を横鼻緒に設けられた１個ずつの開口部に挿入され、その結果できた輪に、対になっている一端部が挿入され、所定の長さで前記一端部が下部ソールと上部ソールの間に取り付けられている。前記指鼻緒は、予め長さを設定しておき、途中で変えることができない。
【００３２】
（第１１発明）
第１１発明の指鼻緒は、第１発明から第１０発明において、前記対となっている指鼻緒で、上部ソールと横鼻緒の間に、筒状カバーが嵌められている。対になっている指鼻緒は、筒状カバーで覆うことにより、履き易く、肌触りを良くすることもできる。前記筒状カバーの材質は、天然繊維、合成繊維、皮製、合成樹脂部材等を使用することができる。
【００３３】
（第１２発明）
第１２発明の指サンダルには、先端部に雨避け用のカバーが着脱自在に取り付けられる。前記カバーは、前記親指鼻緒、横鼻緒、指鼻緒を含み、指サンダルの先端部から足の甲の部分の一部に至る領域を覆うものであり、その材質を透明、半透明、非透明とすることができる。前記透明または半透明のカバーは、内部における指鼻緒の色が見えるため、雨の日であっても、履くのが楽しくなる指サンダルにすることができる。
【実施例１】
【００３４】
図１は本発明の第１実施例で、指サンダルを説明するための斜視図である。図１において、指サンダル１０は、下部ソール１１と、前記下部ソール１１に取り付けられた上部ソール１２と、前記上部ソール１２に取り付けられた親指鼻緒１３および横鼻緒１４と、対をなす４組の指鼻緒１６とから少なくとも構成されている。前記親指鼻緒１３および横鼻緒１４は、一端および他端が前記下部ソール１１と上部ソール１２の間に、たとえば、接着剤等によって固定されている。前記親指鼻緒１３は、図１に示すように、ほぼ円形とすること、あるいは、通常の下駄のような長さにすることができる。
【００３５】
また、前記指鼻緒１６は、２本を対として４組が一端を前記下部ソール１１と上部ソール１２の間に接着剤等によって固定されている。前記横鼻緒１４は、対となた４組の開口部１４１、１４１′・・・が設けられている。前記指鼻緒１６の他端、たとえば、１６１、１６１′・・・は、前記一対の開口部１４１、１４１′・・・に挿入された後、互いに結ばれる。その他の指鼻緒１６についても同様に結ばれる。前記指鼻緒１６は、長さを自由に調整され、一番合った位置で結ぶことにより、指サンダルを履く人の足にフィットさせることができる。前記親指鼻緒１３および横鼻緒１４は、所定の位置で固定されるとともに、幅もデザインに基づいて任意にすることができる。
【実施例２】
【００３６】
図２は本発明の第２実施例であり、指サンダルの全体斜視図を説明するための図である。図２において、指サンダル１０は、横鼻緒１４と一体になって、甲被部１５が形成されている。前記甲被部１５は、足指に前記指サンダル１０の重量がかかっていないため、歩き易くするだけでなく、デザイン的にも工夫する余地がある。また、前記甲被部１５は、踵紐１７が固定部１７１、および長さ調整具１７２によって取り付けられている。また、第２実施例は、対をなす４組の開口部を有する長ボタン１４５が前記横鼻緒１４に沿って設けられている。
【００３７】
図３は本発明の第２実施例において、指鼻緒を横鼻緒の開口部に挿入した状態を説明するための図である。図４は本発明の第２実施例において、指鼻緒を横鼻緒の開口部に挿入した後、長ボタンの開口部に挿入した状態を説明するための図である。図３および図４において、指鼻緒１６１、１６１′・・・は、横鼻緒１４のそれぞれ開口部１４１、１４１′・・・に挿入された後、長ボタン１４５の１４５１、１４５２・・・に挿入され、履く人の各指に合わせた長さになるように、図２に示すように結び目を作る。前記長ボタン１４５は、指鼻緒１６１、１６１′・・・を結ぶ際に、横鼻緒１４の開口部１４１、１４１′・・・の間に力が加わるのを避け、横鼻緒１４より、硬く強度の高い部材からなる。
【００３８】
また、前記長ボタン１４５は、形状および色を変えることにより、指サンダルとしてデザインを工夫することができる。また、図示の横鼻緒１４に設けられた開口部１４１、１４１′・・・は、横鼻緒１４に沿って設けられているが、縦方向に設けることもできる。なお、図４において、親指鼻緒１４、横鼻緒１３、指鼻緒１６は、一端が下部ソール１１と上部ソール１２の間に設けられた凹部（図示されていない）に入れられ、接着剤等で固定される。その際に、前記一端は、ほぼ９０度に曲げられる。また、前記指鼻緒１６の端部は、切断して２本にすること、あるいは折り曲げたままの状態にして折り曲げる等して固定される。
【実施例３】
【００３９】
図５は本発明の第３実施例で、２本の指鼻緒をそれぞれ固定するボタンを説明するための図である。図５において、ボタン５１、５２、５３、５４は、対になっている指鼻緒１６にそれぞれ対応している。前記指鼻緒１６１、１６１′・・・は、開口部１４１、１４１′・・・に挿入された後、それぞれボタン５１の開口部５１１、５１２・・・に挿入され、履く者にとって一番良い長さで結び目が作られる。前記ボタン５１から５４は、前記指鼻緒１６に対応しているため、指鼻緒の色と同じにしたり、あるいは異なる色にする等デザインを工夫することができる。
【実施例４】
【００４０】
図６は本発明の第４実施例で、横鼻緒に４つの開口部を備えた指サンダルの例を説明するための図である。図６において、横鼻緒１４には、４個の開口部６１、６２、６３、６４が設けられている。たとえば、一方の指鼻緒１６１は、前記開口部６１に挿入され、前記開口部６１に挿入されない他方の指鼻緒１６１′と互いに結ばれる。前記横鼻緒１４は、開口部が４個だけであるため、ボタン等を設けなくとも、必要な強度を維持することができる。
【実施例５】
【００４１】
図７は本発明の第５実施例で、指鼻緒の固定方法が他の実施例と異なった例を説明するための図である。図５において、指鼻緒７１、７２、７３、７４は、横鼻緒１４に設けられた開口部１５１、１５２、・・・に挿入された後、コードロック７５を解除した状態で挿入される。指サンダルを履く者は、自分に合った長さに指鼻緒７１、７２、７３、７４を調整し、程よい状態で前記コードロック７５をロックする。前記コードロック７５は、結び目を作るより、容易に長さ調整ができるため、子供用の指サンダルに適している。また、前記コードロック７５は、指鼻緒１６の色と組み合わせ、あるいは異なる色とすることにより、デザインの優れた指サンダルができる。
【実施例６】
【００４２】
図８は本発明の第６実施例で、指鼻緒の異なる固定方法を説明するための図である。図８において、一対の指鼻緒１６は、取り付け前に、二つ折りにして使われる。前記指鼻緒１６は、二つ折りにした頂部を横鼻緒１４に設けられた開口部８４に挿入され、その結果できた輪８２に、対になっている一端部を挿入され、所定の長さで前記一端部が折り曲げられて、下部ソールと上部ソールの間に取り付けられている。前記指鼻緒は、予め長さを設定しておき、途中で変えることができない。前記指鼻緒１６には、筒状カバー８１により覆われている。前記筒状カバーは、指鼻緒１６を覆うことにより、履き易く、肌触りを良くすることもできる。前記筒状カバーの材質は、天然繊維、合成繊維、皮製、合成樹脂部材等を使用することができる。前記開口部８４は、ハト目８３によって形成することができ、開口近傍の強度を強化することができる。
【００４３】
第６実施例は、長さが調整できないタイプの履物であるが、実施例１から実施例５のように指鼻緒の長さを調整できるタイプに筒状カバー８１を適用することもできる。その際の筒状カバー８１は、長さ調整ができるように、短めにしておく必要がある。
【実施例７】
【００４４】
図９は本発明の第７実施例で、爪先部分を覆うかばーを設けた指サンダルを説明するための図である。図９において、指サンダル１０′は、先端部に雨避け用のカバー９１が着脱具９２により着脱自在に取り付けられている。前記着脱具９２は、マジックファスナー（登録商標）、嵌合、ボタン等公知の手段を採用することができる。前記カバー９１は、爪先から前記親指鼻緒１３、横鼻緒１４、指鼻緒１６を十分に覆い、指等足の先端部近傍に雨や泥がかからないようにするものである。前記カバー９１の材質は、透明、半透明、非透明からなる合成樹脂部材である。前記合成樹脂部材は、雨や泥に強く、透明または半透明にすることで、内部における指鼻緒の色が見え、履物としてカラフルで、履くのが楽しくなる指サンダルにすることができる。
【００４５】
以上、本実施例を詳述したが、本発明は、前記本実施例に限定されるものではなく、特許請求の範囲に記載されている事項を逸脱することがなければ、種々の設計変更を行うことが可能である。本実施例は、甲被部と横鼻緒との形状および色を指サンダル全体のデザインを考慮して変えることができる。指鼻緒は、２本が対になっているが、対毎に色を変えたり、１本毎に色を変えることもできる。また、指サンダルは、指鼻緒、親指鼻緒、横鼻緒、甲被部、およびその他の部分との関係で、色や形を変えたデザインとすることができる。前記色は、たとえば、７色からなる虹色にすることもできる。
【図面の簡単な説明】
【００４６】
【図１】本発明の第１実施例で、指サンダルを説明するための斜視図である。（実施例１）
【図２】本発明の第２実施例であり、指サンダルの全体斜視図を説明するための図である。（実施例２）
【図３】本発明の第２実施例において、指鼻緒を横鼻緒の開口部に挿入した状態を説明するための図である。
【図４】本発明の第２実施例において、指鼻緒を横鼻緒の開口部に挿入した後、長ボタンの開口部に挿入した状態を説明するための図である。
【図５】本発明の第３実施例で、２本の指鼻緒をそれぞれ固定するボタンを説明するための図である。（実施例３）
【図６】本発明の第４実施例で、横鼻緒に４つの開口部を備えた指サンダルの例を説明するための図である。（実施例４）
【図７】本発明の第５実施例で、指鼻緒の固定方法が他の実施例と異なった例を説明するための図である。（実施例５）
【図８】本発明の第６実施例で、指鼻緒の異なる固定方法を説明するための図である。（実施例６）
【図９】本発明の第７実施例で、爪先部分を覆うかばーを設けた指サンダルを説明するための図である。（実施例７）
【符号の説明】
【００４７】
１０・・・指サンダル
１１・・・下部ソール
１２・・・上部ソール
１３・・・親指鼻緒
１４・・・横鼻緒
１４１、１４１′・・・開口部
１４５・・・長ボタン
１５・・・甲被部
１６、１６１、１６１′・・・指鼻緒
１６５・・・結び目
１７・・・踵紐
１７１・・・固定部
１７２・・・長さ調整具
５１、５２、５３、５４・・・ボタン
７５・・・コードロック
８１・・・カバー
８２・・・輪
８３・・・ハト目
８４・・・開口部
９１・・・カバー
９２・・・着脱具
【図１】
2008167988.tif 000003
【図２】
2008167988.tif 000004
【図３】
2008167988.tif 000005
【図４】
2008167988.tif 000006
【図５】
2008167988.tif 000007
【図６】
2008167988.tif 000008
【図７】
2008167988.tif 000009
【図８】
2008167988.tif 000010
【図９】
2008167988.tif 000011